(57)【特許請求の範囲】
【請求項１】
カム溝が形成されたカム筒と直進溝が形成された直進筒とが同心上に配置されると共に、レンズ保持枠に設けられたカムピンが前記カム溝及び前記直進溝に係合され、前記カム筒又は前記直進筒が回動されると、前記レンズ保持枠が前記カム溝に従動して移動されるレンズ鏡胴において、
前記直進筒の一端に径方向の凸部を一体形成し前記直進筒の他端に径方向の鍔を形成すると共に、前記カム筒に円周方向の溝を形成し、前記凸部を前記溝に係合させつつ、前記凸部と前記鍔との間で前記カム筒を挟み込むことにより、前記直進筒を回転自在かつ光軸方向に移動不能に支持するものであって、
前記カム溝の両端を開放していること、
を特徴とするレンズ鏡胴。
【請求項２】
前記カム筒と前記直進筒との間に、前記凸部を前記溝の側面に押圧する付勢部材を配設したことを特徴とする請求項１記載のレンズ鏡胴。
【発明の詳細な説明】
【０００１】
【発明の属する技術分野】
本発明はレンズ鏡胴に係り、特にレンズ鏡胴本体内にカム筒と直進溝が形成された直進筒とが同心上に配置されると共に、レンズ保持枠に設けられたカムピンが前記カム溝及び直進溝に係合され、前記カム筒又は直進筒が回動されると、前記レンズ保持枠がカム溝に従動して移動されるレンズ鏡胴に関する。
【０００２】
【従来の技術】
従来、フォーカスレンズやズームレンズ等のレンズがカム機構によりモータや操作リングによって移動されるレンズ鏡胴が知られている。例えば、前記レンズを保持したレンズ保持枠は、軸方向の直進溝が形成された直進筒内に配置され、直進筒の外側には、カム溝が形成されたカム筒が配置される。これらの直進筒とカム筒とは何れか一方が他方に対して回動自在に配置されると共に、レンズ保持枠には前記直進溝を貫通して前記カム溝に係合するカムピンが設けられており、モータや操作リング等によってカム筒又は直進筒が回動されると、カムピンがカム溝に従動してレンズ保持枠が光軸方向に移動されるようになっている。
【０００３】
【発明が解決しようとする課題】
しかしながら、このようなレンズ鏡胴において、従来カム筒や直進筒等は、レンズ鏡胴本体に押さえ環又は押さえ板等によって軸方向の位置を規制されると共に回動自在に支持されていた。このため、部品点数の増加や組立て工数の増加によりコストが高くなるという欠点があった。
【０００４】
本発明はこのような事情に鑑みてなされたもので、カム筒又は直進筒の軸方向の位置を規制すると共に回転自在に支持する押さえ環や押さえ板等の押さえ部材を不要にし、部品点数、組立て工数の削減により、コストの低減を図ることができるレンズ鏡胴を提供することを目的とする。
【０００５】
【課題を解決するための手段】
本発明は、前記目的を達成するために、レンズ鏡胴本体内にカム溝が形成されたカム筒と直進溝が形成された直進筒とが同心上に配置されると共に、前記レンズ保持枠に設けられたカムピンが前記カム溝及び直進溝に係合され、前記カム筒又は直進筒が回動されると、前記レンズ保持枠がカム溝に従動して移動されるレンズ鏡胴において、前記カム筒と前記直進筒のうちいずれか一方に径方向の凸部を一体形成すると共に、他方に円周方向の溝を形成し、前記凸部を前記溝に係合させることにより一方を回転自在かつ光軸方向に移動不能に支持したことを特徴としている。
【０００６】
本発明によれば、カム筒と直進筒とを凸部と溝の係合によって軸方向の所定位置に規制すると共に回転自在に支持するようにしたため、構成が簡単で部品点数、組立て工数が削減され、コストが低減される。
また、前記凸部を前記溝の側面に押圧する付勢部材を配設することで、容易にカム筒と直進筒のガタを無くすことができる。
【０００７】
【発明の実施の形態】
以下添付図面に従って本発明に係るレンズ鏡胴の好ましい実施の形態について詳説する。
図１は本発明の一実施の形態が適用されたバリフォーカルレンズ装置の断面図である。同図に示すように、バリフォーカルレンズ装置１０の鏡胴本体２２内には、光軸Ｐの前端側（図１で左側）から順に、光軸Ｐに沿ってフォーカスレンズ１２、変倍レンズ１４、及びマスタレンズ１６が配置され、鏡胴本体２２の外側に筒状のカバー１１が設けられる。
【０００８】
前記フォーカスレンズ１２は、筒状のレンズ保持枠１８内に保持され、レンズ保持枠１８の外面には、複数のカムピン２０、２０（２本のみ図示）が突設される。これらのカムピン２０、２０は、鏡胴本体２２に光軸Ｐと平行に形成された直進溝２２Ａ、２２Ａに挿通される。鏡胴本体２２の外側には、フォーカスリング２４が回動自在に配設される。フォーカスリング２４の内周面にはカム溝２４Ａが形成され、このカム溝２４Ａに上記カムピン２０の先端が嵌入される。フォーカスリング２４の外側には回動レバー２６が設けられており、この回動レバー２６は、カバー１１の貫通孔を貫通して外部に突出される。従って、レンズ保持枠１８は、鏡胴本体２２の直進溝２２Ａ、２２Ａによって光軸Ｐ方向に案内されると共に、回動レバー２６が回動操作されてフォーカスリング２４が回動されると、カムピン２０がカム溝２４Ａに従動し、フォーカスレンズ１２が光軸Ｐの方向に移動される。これによりピント調整が行なわれる。
【０００９】
また、フォーカスリング２４の後端には、数カ所に凸部２４Ｂ、２４Ｂが一体形成され、これらの凸部２４Ｂ、２４Ｂは、鏡胴本体２２の外面に形成された円周方向の溝２２Ｃに係合される。従って、フォーカスリング２４は、鏡胴本体２２に対して回動自在に軸方向の所定位置に支持される。また、鏡胴本体２２に対するフォーカスリング２４の軸方向へのガタを防止するためにフォーカスリング２４の前端と、鏡胴本体２２の鍔２２Ｄの間に波板バネ２３が配設される。これにより、フォーカスリング２４は後方に付勢され、フォーカスリング２４の凸部２４Ｂが鏡胴本体２２の溝２２Ｃの後ろ側面に片寄せされ、フォーカスリング２４のガタが防止される。また、フォーカスリング２４は波板バネ２３の弾性力の強さにより回動トルクを調整することができる。
【００１０】
前記変倍レンズ１４は、筒状のレンズ保持枠２８内に保持され、レンズ保持枠２８と鏡胴本体（カム筒）２２との間には直進筒３２が回動自在に配設される。レンズ保持枠２８には複数のカムピン３０（１本のみ図示）が突設され、このカムピン３０は、光軸Ｐと平行に直進筒３２に形成された直進溝３２Ａ（図２参照）に挿通される。鏡胴本体２２の内面にはカム溝２２Ｂが形成され、カムピン３０の先端はこのカム溝２２Ｂに嵌入される。
【００１１】
一方、鏡胴本体２２の外側には変倍リング３４が回動自在に配設される。この変倍リング３４は、上記直進筒３２に連結部３７において連結される。変倍リング３４の外側には回動レバー２７が設けられ、この回動レバー２７は、カバー１１の貫通孔を貫通して外部に突出される。従って、回動レバー２７が回動操作されると、変倍リング３４を介して上記直進筒３２が回動され、直進筒３２が回動されると、カムピン３０がカム溝２２Ｂに従動し、変倍レンズ１４が回動しながら光軸Ｐの方向に移動される。これにより、ズーム調整が行なわれる。この時、変倍リング３４と図示しない係合部を介して連結されたフォーカスリング２４も回動されるのでピント調整も同時になされる。このように本実施の形態はバリフォーカルレンズ装置を構成する。
【００１２】
また、上記直進筒３２は、図２に示すように後端に凸部３２Ｂが一体形成され、この凸部３２Ｂは、鏡胴本体２２の内面に形成された円周方向の溝２２Ｅに係合される。また、直進筒３２の前端側の鍔３２Ｃと鏡胴本体２２の垂直部２２Ｆとの間には波板バネ３３が配設される。これにより、直進筒３２は前方に付勢され、直進筒３２の凸部３２Ｂが鏡胴本体２２の溝２２Ｅの前面に片寄せされ、直進筒３２のガタが無くなり、また変倍リング３４は、波板バネ３３の弾性力の強さにより回動トルクを調整することができる。
【００１３】
尚、鏡胴本体２２には上記直進筒３２の凸部３２Ｂを前方から上記溝２２Ｅの位置まで嵌め込むための溝は、上記鏡胴本体２２のカム溝２２Ｂの両端を開放して形成している。
前記マスタレンズ１６は、後枠３６に支持されると共に、後枠３６の外側にはマウント環３８が設けられる。このマウント環３８は図示しないカメラ本体に固定される。尚、変倍レンズ１４とマスタレンズ１６の間には絞り４２が配設されており、この絞り４２は、アイリスモータ４４によって駆動される。
【００１４】
以上の如く構成されたレンズ鏡胴の作用について説明すると、回動レバー２７が回動操作されると、変倍リング３４を介して上記直進筒３２が回動され、このとき直進筒３２は、その後端に一体形成された凸部３２Ｂと鏡胴本体（カム筒）２２の内面に形成された円周方向の溝２２Ｅとが係合した状態で回動される。従って、押さえ環等の押さえ部材を用いなくても直進筒３２を鏡胴本体２２の軸方向の所定位置に支持しておくことができる。また、直進筒３２は、波板バネ３３によって溝２２Ｅの側面に片寄せされた状態で回動されるため、直進筒３２のガタが無くなる。また、上記実施の形態では、ズーム操作中にピント調整もなされるバリフォーカルレンズのレンズ鏡胴について説明したが、本発明はカム機構により所定のレンズが移動されるレンズ鏡胴であれば適用できる。
【００１５】
また、ピント合わせの微調整の時に回動レバー２６を回動操作すると、フォーカスリング２４は、その後端に一体形成された凸部２４Ｂ、２４Ｂと鏡胴本体２２の外面に形成された円周方向の溝２２Ｃとが係合した状態で回動される。従って、押さえ環等の押さえ部材を用いなくてもフォーカスリング２４を鏡胴本体２２の軸方向の所定の位置に支持しておくことができる。また、フォーカスリング２４は、波板バネ２３によって溝２２Ｃの側面に片寄せされた状態で回動されるため、フォーカスリング２４のガタが無くなる。
【００１６】
尚、上記実施の形態において、フォーカスレンズ１２や変倍レンズ１４のレンズ保持枠１８、２８の外側に配置される、直進溝が形成された直進筒とカム溝が形成されたカム筒（フォーカスリング２４、鏡胴本体２２）との位置関係はいずれが外側であってもよく、また、直進筒とカム筒の凸部と溝との関係は前記実施の形態と逆に設けてもよい。
【００１７】
また、前記実施の形態では、ズームレンズとフォーカスレンズの両方に適用したが、ズームレンズ又はフォーカスレンズのいずれか一方に適用してもよい。  また、本発明は、付勢部材は波形バネに限らず他の一般的なバネでもよいし、カム筒、鏡胴本体等に一体に設けてもよい。
【００１８】
【発明の効果】
以上説明したように、本発明に係るレンズ鏡胴によれば、カム筒と直進筒とを凸部と溝の係合によって軸方向の所定位置に規制すると共に回転自在に支持するようにしたため、構成が簡単で部品点数、組立て工数が削減され、コストが低減される。
【００１９】
また、前記凸部を前記溝の側面に押圧する付勢部材を配設することで、容易にカム筒と直進筒のガタを無くすことができる。
【図面の簡単な説明】
【図１】図１は、本発明が適用されたバリフォーカルレンズ装置の実施の形態を示した断面図である。
【図２】図２は、直進筒の外観を示した外観斜視図である。
【符号の説明】
１０…バリフォーカルレンズ装置、１２…フォーカスレンズ、１４…変倍レンズ、１８、２８…レンズ保持枠、２０、３０…カムピン、２２…鏡胴本体、２２Ａ、３２Ａ…直進溝、２２Ｃ、２２Ｅ…溝、２４…フォーカスリング、２２Ｂ、２４Ａ…カム溝、２４Ｂ、３２Ｂ…凸部、２６、２７…回動レバー、３２…直進筒、３４…変倍リング、Ｐ…光軸
【図１】
0004487294.tif 000002
【図２】
0004487294.tif 000003